(57)【特許請求の範囲】
【請求項１】
複数の遮蔽領域と、
前記複数の遮蔽領域のそれぞれについて閉状態と開状態との間で動作可能に設けられた第１遮蔽部および第２遮蔽部と、
前記複数の遮蔽領域のそれぞれについて設けられた前記第１遮蔽部および前記第２遮蔽部のそれぞれに連結され、駆動源の動力に基づいて第１状態と第２状態との間で動作を行う動作部とを備え、
前記複数の遮蔽領域のそれぞれについて設けられた前記第１遮蔽部は、
前記動作部が前記第１状態から前記第２状態に動作することに伴い前記閉状態から正方向に回転して前記開状態となり、前記動作部が前記第２状態から前記第１状態に動作することに伴い前記開状態から前記正方向の逆の方向である逆方向に回転して前記閉状態となり、
前記複数の遮蔽領域のそれぞれについて設けられた前記第２遮蔽部は、
前記動作部が前記第１状態から前記第２状態に動作することに伴い前記閉状態から前記逆方向に回転して前記開状態となり、前記動作部が前記第２状態から前記第１状態に動作することに伴い前記開状態から前記正方向に回転して前記閉状態となることを特徴とする演出装置。
【請求項２】
請求項１において、
前記動作部は、
前記駆動源が駆動することに伴い一方が前記正方向に回転するとともに他方が前記逆方向に回転する第１アームおよび第２アームと、
前記第１アームに連結され、前記第１アームが前記逆方向に回転することに伴い第１方向にスライドし、前記第１アームが前記正方向に回転することに伴い前記第１方向の逆の方向である第２方向にスライドする板状の第１スライド板と、
前記第２アームに連結され、前記第２アームが前記正方向に回転することに伴い前記第２方向にスライドし、前記第２アームが前記逆方向に回転することに伴い前記第１方向にスライドする板状の第２スライド板とを備え、
前記複数の遮蔽領域のそれぞれについて設けられた前記第１遮蔽部は、
前記第１スライド板に連結され、前記第１スライド板が前記第１方向にスライドすることに伴い前記正方向に回転し、前記第１スライド板が前記第２方向にスライドすることに伴い前記逆方向に回転し、
前記複数の遮蔽領域のそれぞれについて設けられた前記第２遮蔽部は、
前記第２スライド板に連結され、前記第２スライド板が前記第２方向にスライドすることに伴い前記逆方向に回転し、前記第２スライド板が前記第１方向にスライドすることに伴い前記正方向に回転することを特徴とする演出装置。
【請求項３】
複数の遮蔽領域と、
前記複数の遮蔽領域のそれぞれについて閉状態と開状態との間で動作可能に設けられた複数の第１遮蔽部および複数の第２遮蔽部と、
前記複数の遮蔽領域のそれぞれについて設けられた前記複数の第１遮蔽部および前記複数の第２遮蔽部のそれぞれに連結され、駆動源の動力に基づいて第１状態と第２状態との間で動作を行う動作部とを備え、
前記複数の遮蔽領域のそれぞれについて設けられた前記複数の第１遮蔽部は、
前記動作部が前記第１状態から前記第２状態に動作することに伴い前記閉状態から正方向に回転して前記開状態となり、前記動作部が前記第２状態から前記第１状態に動作することに伴い前記開状態から前記正方向の逆の方向である逆方向に回転して前記閉状態となり、
前記複数の遮蔽領域のそれぞれについて設けられた前記複数の第２遮蔽部は、
前記動作部が前記第１状態から前記第２状態に動作することに伴い前記閉状態から前記逆方向に回転して前記開状態となり、前記動作部が前記第２状態から前記第１状態に動作することに伴い前記開状態から前記正方向に回転して前記閉状態となることを特徴とする演出装置。
【請求項４】
複数の遮蔽領域と、
前記複数の遮蔽領域のそれぞれについて閉状態と開状態との間で動作可能に設けられた第１遮蔽部および第２遮蔽部と、
前記複数の遮蔽領域のそれぞれについて設けられた前記第１遮蔽部および前記第２遮蔽部のそれぞれに連結され、駆動源の動力に基づいて第１状態と第２状態との間で動作を行う動作部と、
前記駆動部の制御を行う制御部とを備え、
前記複数の遮蔽領域のそれぞれについて設けられた前記第１遮蔽部は、
前記動作部が前記第１状態から前記第２状態に動作することに伴い前記閉状態から正方向に回転して前記開状態となり、前記動作部が前記第２状態から前記第１状態に動作することに伴い前記開状態から前記正方向の逆の方向である逆方向に回転して前記閉状態となり、
前記複数の遮蔽領域のそれぞれについて設けられた前記第２遮蔽部は、
前記動作部が前記第１状態から前記第２状態に動作することに伴い前記閉状態から前記逆方向に回転して前記開状態となり、前記動作部が前記第２状態から前記第１状態に動作することに伴い前記開状態から前記正方向に回転して前記閉状態となることを特徴とする遊技機。
【発明の詳細な説明】
【技術分野】
【０００１】
本発明は、照明装置および遊技機に関する。
【背景技術】
【０００２】
従来から、光源を遮蔽する閉状態と光源を遮蔽しない開状態との間で動作する遮蔽部を備えた照明装置が知られている。そしてこのような照明装置として、遮蔽部が回転することにより遮蔽部が閉状態または開状態となる照明装置が知られている（特許文献１参照）。
【先行技術文献】
【特許文献】
【０００３】
【特許文献１】特開２００９−１８８０９号公報
【発明の概要】
【発明が解決しようとする課題】
【０００４】
このような照明装置では、遮蔽部が回転する際に周囲の構成と干渉しないようにするために、遮蔽部が遮蔽すべき領域の形状が制限されてしまうという問題が発生する。
【０００５】
本発明は上記事情に鑑みてなされたものであり、その目的は、遮蔽部が閉状態と開状態との間で動作する際に周囲の構成と干渉しないようにしつつ、遮蔽部が遮蔽すべき領域の形状として様々な形状を採用することができる照明装置を提供することにある。
【課題を解決するための手段】
【０００６】
（１）本発明は、光源と、駆動源の動力に基づいて第１状態と第２状態との間で動作を行う動作部と、前記動作部に連結され、前記光源を遮蔽する閉状態と前記光源を遮蔽しない開状態との間で動作を行う複数の遮蔽部とを備え、前記複数の遮蔽部のうち一部の遮蔽部は、前記動作部が前記第１状態から前記第２状態に動作することに伴い前記閉状態から正方向に回転して前記開状態となり、前記動作部が前記第２状態から前記第１状態に動作することに伴い前記開状態から前記正方向の逆の方向である逆方向に回転して前記閉状態となり、前記複数の遮蔽部のうち前記一部の遮蔽部以外の他の遮蔽部は、前記動作部が前記第１状態から前記第２状態に動作することに伴い前記閉状態から前記逆方向に回転して前記開状態となり、前記動作部が前記第２状態から前記第１状態に動作することに伴い前記開状態から前記正方向に回転して前記閉状態となることを特徴とする照明装置に関するものである。
【０００７】
本発明では、一部の遮蔽部と他の遮蔽部とが互いに逆の方向に回転することにより閉状態と開状態との間で動作するので、複数の遮蔽部が周囲の構成と干渉しないようにしつつ、複数の遮蔽部が遮蔽すべき領域の形状として様々な形状を採用することができる。
【０００８】
（２）本発明の照明装置では、前記光源の照明範囲を制限する筒状の制限部を更に備え、前記複数の遮蔽部は、前記制限部の内周面側に設けられているようにしてもよい。
【０００９】
このようにすれば、光源の照明範囲を制限する制限部の内周面側を複数の遮蔽部が動作するための空間とすることができるので、複数の遮蔽部が動作するための空間を効率的に確保することができる。
【００１０】
（３）本発明の照明装置では、前記動作部は、前記駆動源が駆動することに伴い一方が前記正方向に回転するとともに他方が前記逆方向に回転する第１アームおよび第２アームと、前記第１アームに連結され、前記第１アームが前記逆方向に回転することに伴い第１方向にスライドし、前記第１アームが前記正方向に回転することに伴い前記第１方向の逆の方向である第２方向にスライドする板状の第１スライド板と、前記第２アームに連結され、前記第２アームが前記正方向に回転することに伴い前記第２方向にスライドし、前記第２アームが前記逆方向に回転することに伴い前記第１方向にスライドする板状の第２スライド板とを備え、前記一部の遮蔽部は、前記第１スライド板に連結され、前記第１スライド板が前記第１方向にスライドすることに伴い前記正方向に回転し、前記第１スライド板が前記第２方向にスライドすることに伴い前記逆方向に回転し、前記他の遮蔽部は、前記第２スライド板に連結され、前記第２スライド板が前記第２方向にスライドすることに伴い前記逆方向に回転し、前記第２スライド板が前記第１方向にスライドすることに伴い前記正方向に回転するようにしてもよい。
【００１１】
このようにすれば、第１スライド板と第２スライド板とが互いに逆の方向にスライドすることにより、一部の遮蔽部と他の遮蔽部とを互いに逆の方向に回転させることができるので、動作部が動作するための空間を縮小することができる。
【００１２】
（４）本発明は、光源と、ソレノイドと、一端が前記ソレノイドに連結された第１アームおよび第２アームと、前記第１アームの他端に連結された板状の第１スライド板と、前記第２アームの他端に連結された板状の第２スライド板と、一端が前記第１スライド板に連結され、前記光源を遮蔽する閉状態と前記光源を遮蔽しない開状態との間で動作を行う複数の第１遮蔽部と、一端が前記第２スライド板に連結され、前記閉状態と前記開状態との間で動作を行う複数の第２遮蔽部とを備え、前記第１アームおよび前記第２アームは、前記ソレノイドの動力に基づいて一方が前記正方向に回転するとともに他方が前記正方向の逆の方向である逆方向に回転し、前記第１スライド板は、前記第１アームが前記逆方向に回転することに伴い第１方向にスライドし、前記第１アームが前記正方向に回転することに伴い前記第１方向の逆の方向である第２方向にスライドし、前記第２スライド板は、前記第２アームが前記正方向に回転することに伴い第２方向にスライドし、前記第２アームが前記逆方向に回転することに伴い前記１方向にスライドし、前記複数の第１遮蔽部は、前記第１スライド板が前記第１方向にスライドすることに伴い前記閉状態から前記正方向に回転して前記開状態となり、前記第１スライド板が前記第２方向にスライドすることに伴い前記開状態から前記逆方向に回転して前記閉状態となり、前記複数の第２遮蔽部は、前記第２スライド板が前記第２方向にスライドすることに伴い前記閉状態から前記逆方向に回転して前記開状態となり、前記第２スライド板が前記第１方向にスライドすることに伴い前記開状態から前記正方向に回転して前記閉状態となることを特徴とする照明装置に関するものである。
【００１３】
本発明では、複数の第１遮蔽部と複数の第２遮蔽部とが互いに逆の方向に回転することにより閉状態と開状態との間で動作するので、複数の第１遮蔽部と複数の第２遮蔽部とが周囲の構成と干渉しないようにしつつ、複数の第１遮蔽部と複数の第２遮蔽部とが遮蔽すべき領域の形状として様々な形状を採用することができる。
【００１４】
（５）本発明は、光源と、駆動源の動力に基づいて第１状態と第２状態との間で動作を行う動作部と、前記動作部に連結され、前記光源を遮蔽する閉状態と前記光源を遮蔽しない開状態との間で動作を行う複数の遮蔽部とを備えた照明装置と、前記照明装置の制御を行う制御部とを備え、前記複数の遮蔽部のうち一部の遮蔽部は、前記動作部が前記第１状態から前記第２状態に動作することに伴い前記閉状態から正方向に回転して前記開状態となり、前記動作部が前記第２状態から前記第１状態に動作することに伴い前記開状態から前記正方向の逆の方向である逆方向に回転して前記閉状態となり、前記複数の遮蔽部のうち前記一部の遮蔽部以外の他の遮蔽部は、前記動作部が前記第１状態から前記第２状態に動作することに伴い前記閉状態から前記逆方向に回転して前記開状態となり、前記動作部が前記第２状態から前記第１状態に動作することに伴い前記開状態から前記正方向に回転して前記閉状態となることを特徴とする遊技機に関するものである。
【００１５】
本発明では、一部の遮蔽部と他の遮蔽部とが互いに逆の方向に回転することにより閉状態と開状態との間で動作するので、遮蔽部が周囲の構成と干渉しないようにしつつ、遮蔽部が遮蔽すべき領域の形状として様々な形状を採用することができる。
【図面の簡単な説明】
【００１６】
【図１】本実施形態の遊技機の外観構成を示す斜視図である。
【図２】本実施形態の照明装置の内部構成を示す斜視図である。
【図３】本実施形態の照明装置の内部構成を示す斜視図である。
【図４】本実施形態の照明装置の内部構成を説明するための図である。
【図５】本実施形態の照明装置の内部構成を説明するための図である。
【図６】本実施形態の照明装置の内部構成を示す斜視図である。
【図７】本実施形態の照明装置の外観構成を示す斜視図である。
【図８】本実施形態の照明装置の内部構成を示す組立図である。
【図９】本実施形態の遊技機の機能ブロックを説明する図である。
【図１０】変形実施形態の照明装置の一部の外観構成を示す図である。
【発明を実施するための形態】
【００１７】
以下、本発明の実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１８】
１．遊技機の構成
図１は、本発明の実施形態に係る遊技機の外観構成を示す斜視図である。
【００１９】
本実施形態の遊技機は、いわゆるスロットマシンあるいは回胴式遊技機と呼ばれるもので、メダルを遊技媒体として用いた遊技を行う種類の遊技機である。
【００２０】
本実施形態の遊技機は、収納箱ＢＸ、前面上扉ＵＤ、および前面下扉ＤＤからなる箱形の筐体内に第１リールＲ１〜第３リールＲ３からなるリールユニットが収められている。また筐体内のリールユニットの下部には、メダルの払出装置としてのホッパーユニット（図示省略）が収められている。また本実施形態の遊技機の筐体内には、ＣＰＵ、ＲＯＭ（情報記憶媒体の一例）、ＲＡＭ等を搭載し、遊技機の動作を制御する制御基板も収められている。
【００２１】
図１に示す第１リールＲ１〜第３リールＲ３は、それぞれ外周面が一定の間隔で２１の領域（各領域を「コマ」と称する）に区画されており、各コマに複数種類の図柄のいずれかが配列されている。また第１リールＲ１〜第３リールＲ３は、ステップモータ（リール駆動手段：図示省略）に軸支されており、それぞれステップモータの軸周りに回転駆動され、ステップモータの駆動パルスのパルス数やパルス幅などを制御することによって、コマ単位（所定の回転角度単位、所定の回転量単位）で停止可能に設けられている。すなわち本実施形態の遊技機では、ステップモータが制御基板から供給された駆動パルスに応じて第１リールＲ１〜第３リールＲ３を回転駆動し、制御基板から駆動パルスの供給が断たれると、ステップモータの回転が停止することに伴って第１リールＲ１〜第３リールＲ３が停止する。
【００２２】
前面上扉ＵＤと前面下扉ＤＤとは個別に開閉可能に設けられており、前面上扉ＵＤには第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）を遊技機の正面から表示窓ＤＷを通じて観察できるようになっている。
【００２３】
また本実施形態の遊技機では、表示窓ＤＷを通じて図柄を観察するための表示位置として、各リールについて上段、中段、下段が設けられており、各リールに関する図柄の表示位置の組合せによって有効ラインＬ１〜Ｌ４が設定されている。具体的には、第１リールＲ１の上段、第２リールＲ２の中段、および第３リールＲ３の下段の組合せによって有効ラインＬ１が設定され、第１リールＲ１の上段、第２リールＲ２の上段、および第３リールＲ３の上段の組合せによって有効ラインＬ２が設定され、第１リールＲ１の下段、第２リールＲ２の下段、および第３リールＲ３の下段の組合せによって有効ラインＬ３が設定され、第１リールＲ１の下段、第２リールＲ２の中段、および第３リールＲ３の上段の組合せによって有効ラインＬ４が設定されている。そして本実施形態の遊技機では、第１リールＲ１の中段、および第３リールＲ３の中段は、いずれの有効ライン上の表示位置ともなっていない。すなわち本実施形態の遊技機では、第１リールＲ１および第３リールＲ３のそれぞれの表示位置の一部は有効ライン上の表示位置から除外されている。
【００２４】
そして遊技結果は表示窓ＤＷ内の有効ラインＬ１〜Ｌ４に停止表示された図柄組合せによって判断され、有効ラインＬ１〜Ｌ４上の図柄組合せが予め定められた役に対応した図柄組合せである場合には、その役が入賞したものとしてホッパーユニットからメダルの払い出し等が行われる。なお、本実施形態の遊技機では、１回の遊技に関して必要となるメダルの数、いわゆる規定投入数が３枚に設定され、規定投入数のメダルが投入されたことに基づいて有効ラインＬ１〜Ｌ４が設定される。なお規定投入数については、遊技状態に応じて異なっていてもよく、規定投入数が複数種類設定されている場合には、規定投入数に応じて有効ラインの数や種類が異なっていてもよい。
【００２５】
また前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス遊技の残り回数等の各種遊技情報が表示される。
【００２６】
また前面上扉ＵＤには、遊技演出を行うための液晶ディスプレイＬＣＤが設けられている。この液晶ディスプレイＬＣＤには、遊技を補助したり、遊技を盛り上げたりするための各種の映像（または画像）が表示される。また本実施形態の遊技機では、前面上扉ＵＤや前面下扉ＤＤに対して、遊技演出を行うためのスピーカ（図示省略）が複数設けられている。このスピーカからは、遊技を補助したり、遊技を盛り上げたりするための各種の音声が出力される。
【００２７】
また前面上扉ＵＤの表示窓ＤＷの右側には、遊技演出を行うための照明装置（演出装置）ＬＤが設けられている。この照明装置ＬＤには、ＬＥＤ（光源の一例）が内蔵され、また、ＬＥＤを遮蔽する閉状態とＬＥＤを遮蔽しない開状態との間で動作する遮蔽部が設けられている。そしてこのＬＥＤが明滅されたり、遮蔽部が閉状態と開状態との間で動作することにより、遊技を補助したり、遊技を盛り上げたりするための各種の演出が行われる。そして照明装置ＬＤは、前面上扉ＵＤの前面を構成する前面パネルＦＰに形成された無色透明な矩形の領域の奥側に設けられていることにより、遊技者が接触不可能かつ視認可能にされている。
【００２８】
なお第１リールＲ１〜第３リールＲ３も、前面パネルＦＰに形成された無色透明な矩形の領域の奥側に設けられていることにより、遊技者が接触不可能かつ視認可能にされている。すなわち、前面パネルＦＰのうち、第１リールＲ１〜第３リールＲ３の位置に対応して形成されている無色透明な矩形の領域が表示窓ＤＷとして機能している。
【００２９】
また前面下扉ＤＤには、各種の操作手段が設けられている。操作手段としては、クレジット（貯留）されたメダルを投入する操作を行うためのベットボタン（投入操作手段）Ｂ０、第１リールＲ１〜第３リールＲ３を回転させて遊技を開始する契機となる操作を行うためのスタートレバー（回転開始操作手段）ＳＬ、ステップモータにより回転駆動されている第１リールＲ１〜第３リールＲ３のそれぞれを停止させる契機となる操作を行うためのストップボタン（停止操作手段）Ｂ１〜Ｂ３などが設けられている。
【００３０】
本実施形態の遊技機では、遊技者がメダルをメダル投入口ＭＩに投入するか、ベットボタンＢ０を押下する操作を行うことで、第１リールＲ１〜第３リールＲ３の回転制御を開始することが可能な準備状態にセットされる。そして、遊技者がスタートレバーＳＬを押下すると、制御基板において第１リールＲ１〜第３リールＲ３をステップモータの駆動により回転開始させるとともに、乱数値を用いた内部抽選が行われ、第１リールＲ１〜第３リールＲ３の回転速度が所定の速度まで上昇したことを条件に、ストップボタンＢ１〜Ｂ３の押下操作が許可（有効化）される。
【００３１】
その後、遊技者が任意のタイミングでストップボタンＢ１〜Ｂ３を押下していくと、ストップボタンＢ１〜Ｂ３のそれぞれに内蔵されているストップスイッチ（停止信号出力手段：例えば、フォトセンサ、導通センサ、圧力センサなど）が作動状態となり、制御基板に入力されるリール停止信号をオフ状態からオン状態へ変化させる。
【００３２】
また遊技者が任意のタイミングで押下状態にあるストップボタンＢ１〜Ｂ３を解放すると、各ボタンのストップスイッチが非作動状態となり、制御基板に入力されるリール停止信号をオン状態からオフ状態に変化させる。
【００３３】
そして制御基板は、ストップボタンＢ１〜Ｂ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００３４】
また前面下扉ＤＤの下部には、メダル払い出し口ＭＯとメダル受け皿ＭＰとが設けられており、遊技の結果に応じた枚数のメダルがメダル払い出し口ＭＯからメダル受け皿ＭＰへ払い出されるようになっている。
【００３５】
２．照明装置の構成
２−１．遮蔽部の構成
図２は、照明装置ＬＤの内部構造を示す斜視図である。なお、図２、図３、図６、図７、図８の説明における上下左右の方向は、特に断り書きのない場合には図１における上下左右の方向である。
【００３６】
図２に示すように照明装置ＬＤは、３つの照明部１０を備えており、各照明部１０の内部にはＬＥＤ（光源）が設けられている。そして各照明部１０は、円筒状の第１制限部１２を備えており、第１制限部１２は、円形の開口を形成することによりＬＥＤの照明範囲を、図中の直線矢印で示す前方に向かって円形となるように制限している。
【００３７】
また第１制限部１２の内周面側には、円形の開口のうち上半分の半円形部分を覆う板状の２個の上部遮蔽板１４（第１遮蔽部）と、円形の開口のうち下半分の半円形部分を覆う板状の２個の下部遮蔽板１５（第２遮蔽部）とが設けられている。そして、２個の上部遮蔽板１４のそれぞれは、上半分の半円形の弦に平行な１本の直線で上半分の半円形を２分割することにより形成される形状を有しており、２個の下部遮蔽板１５のそれぞれは、下半分の半円形の弦に平行な１本の直線で下半分の半円形を２分割することにより形成される形状を有している。そして図２に示すように、２個の上部遮蔽板１４および２個の下部遮蔽板１５が閉状態となっている場合には、ＬＥＤ（発光部分）が遮蔽されるようになっている。
【００３８】
また、２個の上部遮蔽板１４および２個の下部遮蔽板１５のそれぞれは、上半分および下半分の半円形の弦に平行な回転軸である遮蔽軸１６を備えており、この遮蔽軸１６を中心として第１制限部１２に対して回転可能に軸支（保持）されている。すなわち２個の上部遮蔽板１４および２個の下部遮蔽板１５のそれぞれの遮蔽軸１６は、互いに平行となるように設けられている。そして図３に示すように、２個の上部遮蔽板１４および２個の下部遮蔽板１５が閉状態から回転して開状態となっている場合には、ＬＥＤ（発光部分）を遮蔽しないようになっている。
【００３９】
このように本実施形態では、２個の上部遮蔽板１４および２個の下部遮蔽板１５を閉状態と開状態との間で回転させているが、ＬＥＤの照明範囲を制限する第１制限部１２の内周面側の空間を、２個の上部遮蔽板１４および２個の下部遮蔽板１５が回転するための空間として利用することにより、２個の上部遮蔽板１４および２個の下部遮蔽板１５が回転するための空間を効率的に確保している。これにより本実施形態では、図１で示したように照明装置ＬＤの前面に前面パネルＦＰを設ける場合に、照明装置ＬＤと前面パネルＦＰとの間の空間を圧縮しても、２個の上部遮蔽板１４および２個の下部遮蔽板１５が回転する際に前面パネルＦＰと干渉しないようにすることができる。
【００４０】
ここで図２に示すように、２個の上部遮蔽板１４および２個の下部遮蔽板１５は、ＬＥＤを遮蔽するためのものであるので、閉状態では第１制限部１２との隙間がなるべく狭くなるように形成されている。そして２個の上部遮蔽板１４のうち上段の上部遮蔽板１４は、弧部分が上部となる弓形に形成されているため、遮蔽軸１６に沿った方向の幅である横幅は弓形の下部となる弦部分が最も広く、弓形の弦部分から上方に離れるにつれ横幅が狭くなる。従って、上段の上部遮蔽板１４が回転する際に第１制限部１２と干渉しないようにするため、上段の上部遮蔽板１４の遮蔽軸１６は横幅が最も広くなる弓形の弦部分に沿うように設けられている。
【００４１】
また、２個の上部遮蔽板１４のうち上段の上部遮蔽板１４の下に設けられている中段の上部遮蔽板１４は、上半分の半円形から上部の弓形を切り取った形状に形成されているため、横幅は当該形状の下部となる半円形の弦部分が最も広く、半円形の弦部分から上方に離れるにつれ横幅が狭くなる。従って、中段の上部遮蔽板１４の遮蔽軸１６は、横幅が最も広くなる半円形の弦部分に近い部分に設けられている。なお図２に示すように、本実施形態の中段の上部遮蔽板１４の遮蔽軸１６は、半円形の弦部分から若干上方にずれた部分に設けられている。しかし、円形の横幅の変化率は直径部分に近づくにつれて小さくなるため、中段の上部遮蔽板１４と第１制限部１２との間に形成されている若干の隙間により、中段の上部遮蔽板１４が回転する際に第１制限部１２と干渉しないようになっている。
【００４２】
また、２個の下部遮蔽板１５のうち下段の下部遮蔽板１５は、弧部分が下部となる弓形に形成されているため、横幅は弓形の上部となる弦部分が最も広く、弓形の弦部分から下方に離れるにつれ横幅が狭くなる。従って、下段の下部遮蔽板１５が回転する際に第１制限部１２と干渉しないようにするため、下段の下部遮蔽板１５の遮蔽軸１６は弓形の弦部分に沿うように設けられている。
【００４３】
また、２個の下部遮蔽板１５のうち下段の下部遮蔽板１５の上に設けられている中段の下部遮蔽板１５は、下半分の半円形から下部の弓形を切り取った形状に形成されているため、横幅は当該形状の上部となる半円形の弦部分が最も広く、半円形の弦部分から下方に離れるにつれ横幅が狭くなる。従って、中段の下部遮蔽板１５の遮蔽軸１６は、半円形の弦部分に近い部分に設けられている。
【００４４】
このように本実施形態では、２個の上部遮蔽板１４のそれぞれは、遮蔽軸１６に沿った方向に直交する方向の幅である縦幅の中心よりも下方にずれた位置に遮蔽軸１６が設けられており、２個の下部遮蔽板１５のそれぞれは、縦幅の中心よりも上方にずれた位置に遮蔽軸１６が設けられている。これにより本実施形態では、２個の上部遮蔽板１４および２個の下部遮蔽板１５が遮蔽すべき領域が円形であり、２個の上部遮蔽板１４および２個の下部遮蔽板１５が円形の開口を形成する第１制限部１２の内周面側に設けられていても、２個の上部遮蔽板１４および２個の下部遮蔽板１５のそれぞれが第１制限部１２と干渉せずに回転することができる。
【００４５】
なお本実施形態では、上段の上部遮蔽板１４の遮蔽軸１６と中段の上部遮蔽板１４の遮蔽軸１６と中段の下部遮蔽板１５の遮蔽軸１６と下段の下部遮蔽板１５の遮蔽軸１６とが等間隔に設けられているようにするため、中段の上部遮蔽板１４の遮蔽軸１６が半円形の弦部分から若干上方にずれた部分に設けられ、中段の下部遮蔽板１５の遮蔽軸１６が半円形の弦部分から若干下方にずれた部分に設けられている。
【００４６】
ここで、上段の上部遮蔽板１４の形状と下段の下部遮蔽板１５の形状との関係、および中段の上部遮蔽板１４の形状と中段の下部遮蔽板１５の形状との関係は、上下を反転した関係となっている。そして、２個の上部遮蔽板１４のそれぞれには、縦幅の中心よりも下方にずれた位置に遮蔽軸１６が設けられていることから、縦幅に関して遮蔽軸１６から上部の方が下部よりも長く、２個の下部遮蔽板１５のそれぞれには、縦幅の中心よりも上方にずれた位置に遮蔽軸１６が設けられていることから、縦幅に関して遮蔽軸１６から下部の方が上部よりも長く形成されている。
【００４７】
従って、２個の上部遮蔽板１４および２個の下部遮蔽板１５が開状態となる際にこれらが同一方向に回転すると、２個の上部遮蔽板１４の上端が前方に移動する場合には、２個の下部遮蔽板１５の下端が後方に移動し、２個の上部遮蔽板１４の上端が後方に移動する場合には、２個の下部遮蔽板１５の下端が前方に移動することになり、開状態において４つの遮蔽板の向きが揃わず、しかも２個の上部遮蔽板１４あるいは２個の下部遮蔽板１５の後方にも２個の上部遮蔽板１４あるいは２個の下部遮蔽板１５が回転するための空間を確保する必要がある。
【００４８】
そこで本実施形態では、２個の上部遮蔽板１４あるいは２個の下部遮蔽板１５を図２に示す閉状態から開状態にする際には、２個の上部遮蔽板１４を図中左側から見て右回り（正方向）に回転させ、２個の下部遮蔽板１５を図中左側から見て左回り（逆方向）に回転させている。これにより本実施形態では、図３に示すように、２個の上部遮蔽板１４および２個の下部遮蔽板１５を開状態にする際には、２個の上部遮蔽板１４の上端が前方に移動するとともに、２個の下部遮蔽板１５の下端も前方に移動するようにすることができる。従って本実施形態では、開状態において２個の上部遮蔽板１４および２個の下部遮蔽板１５の向きを揃えることができ、しかも２個の上部遮蔽板１４あるいは２個の下部遮蔽板１５の後方に２個の上部遮蔽板１４の上端および２個の下部遮蔽板１５の下端が回転するための空間を確保する必要がないようにすることができる。
【００４９】
そして本実施形態では、２個の上部遮蔽板１４および２個の下部遮蔽板１５を図３に示す開状態から図２に示す閉状態に戻す際には、２個の上部遮蔽板１４を図中左側から見て左回り（逆方向）に回転させ、２個の下部遮蔽板１５を図中左側から見て右回り（正方向）に回転させている。
【００５０】
２−２．動作部の構成
本実施形態の照明装置ＬＤは、図２に示すように、３つの照明部１０を備えており、３つの照明部１０の６個の上部遮蔽板１４および６個の下部遮蔽板１５を同時に閉状態と開状態との間で回転させるようにしている。そのため本実施形態では、各上部遮蔽板１４の左端に、直進運動を回転運動に変換する第１クランク部１８（変換部）が形成されている。そしてこの第１クランク部１８は、３つの照明部１０の左側において上下方向に直進的にスライド可能に設けられた板状の第１スライド板２０に連結されている。そして第１スライド板２０が上下方向にスライドすると、第１スライド板２０の直進運動が第１クランク部１８によって回転運動に変換され、各上部遮蔽板１４が右回りおよび左回りに回転するようになっている。
【００５１】
また、各下部遮蔽板１５の左端には第２クランク部２２が形成されており、この第２クランク部２２は、第１スライド板２０の左側において第１スライド板２０と平行に上下方向に直進的にスライド可能に設けられた板状の第２スライド板２４に連結されている。そして第２スライド板２４が上下方向にスライドすると、各下部遮蔽板１５が右回りおよび左回りに回転するようになっている。
【００５２】
そして第１スライド板２０は、第１スライド板２０の奥側において第１アーム２６の先端（一端）に連結されている。この第１アーム２６は、遮蔽軸１６に平行な回転軸である第１アーム軸２８を中心として基礎部３０に対して回転可能に軸支（保持）されている。そして第１アーム２６の後端は直進ソレノイド３２（駆動源）の駆動部分に連結されている。一方、第２スライド板２４は、第２スライド板２４の奥側において第２アーム３４の先端に連結されている。この第２アーム３４は、遮蔽軸１６に平行な回転軸である第２アーム軸３６を中心として基礎部３０に対して回転可能に軸支（保持）されている。そして第２アーム３４の後端（他端）は直進ソレノイド３２（駆動源）の駆動部分に連結されている。
【００５３】
なお本実施形態では、第１アーム２６と第２アーム３４が、直進ソレノイド３２の駆動部分を中心として線対称となるように直進ソレノイド３２の駆動部分に取り付けられているので、第１アーム２６と第２アーム３４を共通の部材としている。
【００５４】
図４（Ａ）は、照明装置ＬＤを左側から見た場合における６個の上部遮蔽板１４と、第１スライド板２０と、第１アーム２６と、直進ソレノイド３２との関係を示す図である。図４（Ａ）の状態では、直進ソレノイド３２の駆動部分が突出状態となっており、第１アーム２６が右回りに回転した状態（第１状態）となっており、第１スライド板２０が下方にスライドした状態（第１状態）となっており、上部遮蔽板１４が閉状態となっている。
【００５５】
ここで第１スライド板２０の上部と下部には、上下方向に長いガイド穴３８が設けられ、このガイド穴３８には基礎部３０に対して固定的に設けられている固定ピン４０が貫通している。これにより第１スライド板２０は、固定ピン４０にガイドされて基礎部３０に対して上下方向に直進的にスライド可能となっている。
【００５６】
また、第１スライド板２０が上部遮蔽板１４と連結する部分には、図中左右方向に長い作用穴４２が設けられ、この作用穴４２には上部遮蔽板１４の第１クランク部１８の先端（一端）に設けられた移動ピン４４が貫通している。そして図４（Ａ）の状態では、移動ピン４４が遮蔽軸１６よりも下方に位置している（第１状態）。
【００５７】
そして図４（Ｂ）に示すように、直進ソレノイド３２の駆動部分が図中左方向に移動して非突出状態となると、第１アーム２６が第１アーム軸２８を中心として基礎部３０に対して図中左回りに回転する。すると第１アーム２６の先端が上方に移動し、第１アーム２６は第１スライド板２０に設けられている第１突起４６を上方に押し上げ、第１スライド板２０が上方向（第１方向）にスライドする。
【００５８】
すると第１スライド板２０が移動ピン４４に上方向への力を作用させ、移動ピン４４は作用穴４２の内部を往復するように移動しながら遮蔽軸１６を中心として右回りに回転し、移動ピン４４は遮蔽軸１６よりも上方に移動する。すなわち、６個の上部遮蔽板１４のそれぞれが遮蔽軸１６を中心として同時に右回りに回転する。
【００５９】
こうして図４（Ｂ）に示すように、直進ソレノイド３２の駆動部分が非突出状態となると、第１アーム２６が左回りに回転した状態（第２状態）となり、第１スライド板２０が上方にスライドした状態（第２状態）となり、６個の上部遮蔽板１４が開状態となる。
【００６０】
そして図４（Ａ）に示すように、直進ソレノイド３２の駆動部分が図中右方向に移動して突出状態となると、第１アーム２６が第１アーム軸２８を中心として基礎部３０に対して図中右回りに回転する。すると第１アーム２６の先端が下方に移動し、第１アーム２６は第１スライド板２０に設けられている第１突起４６を下方に押し下げ、第１スライド板２０が下方向（第２方向）にスライドする。
【００６１】
すると第１スライド板２０が移動ピン４４に下方向への力を作用させ、移動ピン４４は作用穴４２の内部を往復するように移動しながら遮蔽軸１６を中心として左回りに回転し、移動ピン４４は遮蔽軸１６よりも下方に移動する。すなわち、６個の上部遮蔽板１４が遮蔽軸１６を中心として左回りに回転し、閉状態となる。
【００６２】
図５（Ａ）は、照明装置ＬＤを左側から見た場合における６個の下部遮蔽板１５と、第２スライド板２４と、第２アーム３４と、直進ソレノイド３２との関係を示す図である。図５（Ａ）の状態では、直進ソレノイド３２の駆動部分が突出状態となっており、第２アーム３４が左回りに回転した状態（第１状態）となっており、第２スライド板２４が上方にスライドした状態（第１状態）となっており、下部遮蔽板１５が閉状態となっている。
【００６３】
ここで第２スライド板２４の上部と下部にも第１スライド板２０と同様に、上下方向に長いガイド穴３８が設けられ、このガイド穴３８には基礎部３０に対して固定的に設けられている固定ピン４０が貫通している。これにより第２スライド板２４は、固定ピン４０にガイドされて基礎部３０に対して上下方向に直進的に、かつ第１スライド板２０と平行にスライド可能となっている。
【００６４】
また、第２スライド板２４が下部遮蔽板１５と連結する部分には、図中左右方向に長い作用穴４２が設けられ、この作用穴４２には下部遮蔽板１５の第２クランク部２２の先端（一端）に設けられた移動ピン４４が貫通している。そして図５（Ａ）の状態では、移動ピン４４が遮蔽軸１６よりも上方に位置している（第１状態）。
【００６５】
そして図５（Ｂ）に示すように、直進ソレノイド３２の駆動部分が図中左方向に移動して非突出状態となると、第２アーム３４が第２アーム軸３６を中心として基礎部３０に対して図中右回りに回転する。すると第２アーム３４の先端が下方に移動し、第２アーム３４は第２スライド板２４に設けられている第２突起４８を下方に押し下げ、第２スライド板２４が下方向にスライドする。
【００６６】
すると第２スライド板２４が移動ピン４４に下方向への力を作用させ、移動ピン４４は作用穴４２の内部を往復するように移動しながら遮蔽軸１６を中心として左回りに回転し、移動ピン４４は遮蔽軸１６よりも下方に移動する。すなわち、６個の下部遮蔽板１５のそれぞれが遮蔽軸１６を中心として同時に左回りに回転する。
【００６７】
こうして図５（Ｂ）に示すように、直進ソレノイド３２の駆動部分が非突出状態となると、第２アーム３４が右回りに回転した状態（第２状態）となり、第２スライド板２４が下方にスライドした状態（第２状態）となり、６個の下部遮蔽板１５が開状態となる。
【００６８】
そして図５（Ａ）に示すように、直進ソレノイド３２の駆動部分が図中右方向に移動して突出状態となると、第２アーム３４が第２アーム軸３６を中心として基礎部３０に対して図中左回りに回転する。すると第２アーム３４の先端が上方に移動し、第２アーム３４は第２スライド板２４に設けられている第２突起４８を上方に押し上げ、第２スライド板２４が上方向にスライドする。
【００６９】
すると第２スライド板２４が移動ピン４４に上方向への力を作用させ、移動ピン４４は作用穴４２の内部を往復するように移動しながら遮蔽軸１６を中心として右回りに回転し、移動ピン４４は遮蔽軸１６よりも上方に移動する。すなわち、６個の下部遮蔽板１５のそれぞれが遮蔽軸１６を中心として右回りに回転し、閉状態となる。
【００７０】
このように本実施形態では、図４（Ａ）および図５（Ａ）に示すように直進ソレノイド３２の駆動部分が非突出状態から突出状態に駆動されることに伴い、図４（Ａ）に示すように第１アーム２６が右回りに回転するとともに図５（Ａ）に示すように第２アーム３４が左回りに回転する。そして、図４（Ａ）に示すように第１アーム２６が右回りに回転することに伴い第１スライド板２０が下方向にスライドし、図５（Ａ）に示すように第２アーム３４が左回りに回転することに伴い第２スライド板２４が上方向にスライドする。そして、図４（Ａ）に示すように第１スライド板２０が下方向にスライドすることに伴い上部遮蔽板１４が左回りに回転して閉状態となり、図５（Ａ）に示すように第２スライド板２４が上方向にスライドすることに伴い下部遮蔽板１５が右回りに回転して閉状態となる。
【００７１】
また、図４（Ｂ）および図５（Ｂ）に示すように直進ソレノイド３２の駆動部分が突出状態から非突出状態に駆動されることに伴い、図４（Ｂ）に示すように第１アーム２６が左回りに回転するとともに図５（Ｂ）に示すように第２アーム３４が右回りに回転する。そして、図４（Ｂ）に示すように第１アーム２６が左回りに回転することに伴い第１スライド板２０が上方向にスライドし、図５（Ｂ）に示すように第２アーム３４が右回りに回転することに伴い第２スライド板２４が下方向にスライドする。そして、図４（Ｂ）に示すように第１スライド板２０が上方向にスライドすることに伴い上部遮蔽板１４が右回りに回転して開状態となり、図５（Ｂ）に示すように第２スライド板２４が下方向にスライドすることに伴い下部遮蔽板１５が左回りに回転して開状態となる。
【００７２】
こうして本実施形態では、１つの直進ソレノイド３２によって６個の上部遮蔽板１４および６個の下部遮蔽板１５を同時に、かつ上部遮蔽板１４の回転方向と下部遮蔽板１５の回転方向とが逆方向となるように回転させることができる。そして本実施形態では、第１スライド板２０と第２スライド板２４とが薄い板状の部材により構成されており、第１スライド板２０と第２スライド板２４とが図２に示したように互いに干渉しない程度に左右方向にずれて隣接するように設けられている。従って本実施形態では、６個の上部遮蔽板１４および６個の下部遮蔽板１５を上述のように動作させる構成に必要な空間を縮小することができる。
【００７３】
２−３．遮蔽部の取り付け構造
図６は、図２に示した第１制限部１２（接続部）が基礎部３０から取り外されている状態を示す斜視図である。図６に示すように第１制限部１２には、第１制限部１２が基礎部３０に接続されるときに基礎部３０と接触する後方端４９の左部分と右部分のそれぞれに４個の凹部５０が形成されている。各凹部５０は、遮蔽軸１６を受け入れることができるように形成されており、第１制限部１２が基礎部３０の所定位置に接続されると、２個の上部遮蔽板１４および２個の下部遮蔽板１５のそれぞれの遮蔽軸１６を第１制限部１２に対して回転可能に軸支する４個の軸受け部５２が形成される。
【００７４】
ここで第１制限部１２には、後方端４９の左部分と右部分のそれぞれに鉤状の鉤部材５４が２つの凹部５０の間から後方に突出するように設けられており、各鉤部材５４の先端には内側に突出した鉤部分５６が形成されている。また基礎部３０には、各鉤部材５４の鉤部分５６が嵌め込まれる鉤穴（図示せず）が設けられている。そして第１制限部１２を基礎部３０の所定の位置に取り付ける際には、各鉤部材５４を中段の上部遮蔽板１４の遮蔽軸１６と中段の下部遮蔽板１５の遮蔽軸１６との間を通すようにして、まずは各鉤部材５４の鉤部分５６を基礎部３０に接触させる。そしてこの状態から第１制限部１２を基礎部３０に向けて押し込むと各鉤部材５４が外側に変形し、第１制限部１２を基礎部３０に向けて更に押し込むと第１制限部１２の後方端４９が基礎部３０に接触する。するとこの状態では、各鉤部材５４の鉤部分５６が基礎部３０の鉤穴に到達し、外側に変形していた各鉤部材５４が元に戻るように弾性変形して鉤部分５６が基礎部３０の鉤穴に嵌め込まれる。こうして本実施形態では、第１制限部１２と基礎部３０との接続状態が維持されるようになっている。
【００７５】
ここで図４（Ａ）等に示した移動ピン４４は、単に作用穴４２を貫通しているだけであり、移動ピン４４には移動ピン４４が作用穴４２から抜けることを防止する構成が設けられていない。しかし本実施形態では、第１制限部１２と基礎部３０とが接続されることにより、２個の上部遮蔽板１４および２個の下部遮蔽板１５の動作が各遮蔽軸１６を中心とした回転動作に制限されるため、移動ピン４４が単に作用穴４２を貫通しているだけであっても、移動ピン４４が作用穴４２から抜けないようにすることができる。
【００７６】
ここで軸受け部５２には、２個の上部遮蔽板１４および２個の下部遮蔽板１５が回転するごとに衝撃が加えられるので、各鉤部材５４の鉤部分５６が基礎部３０の鉤穴に嵌め込まれるようにしただけでは、衝撃により第１制限部１２が基礎部３０から外れてしまうことが懸念される。従って第１制限部１２と基礎部３０とは、ネジなどにより強固に固定されることが望ましいが、この場合には第１制限部１２と基礎部３０とをネジ止めするための空間が必要となり、また製造工程が増加してしまうという問題が発生する。
【００７７】
そこで本実施形態では、３つの第１制限部１２が基礎部３０に対して仮止めされた状態で、図７に示すように、３つの第１制限部１２を表側から覆う表カバー部６０（固定部）が基礎部３０に対してネジにより固定される。この表カバー部６０は、基礎部３０に対してネジにより固定された状態で、３つの第１制限部１２の前方端と密着するように形成されている。従って、基礎部３０に対して表カバー部６０がネジにより固定されると、基礎部３０と表カバー部６０に３つの第１制限部１２が挟まれるようにして保持（挟持）される。
【００７８】
従って本実施形態では、基礎部３０に対して第１制限部１２をネジなどにより固定しなくても、軸受け部５２に加えられる衝撃により基礎部３０と第１制限部１２の接続状態が解除されないようにすることができる。しかも本実施形態では、１つの表カバー部６０により同時に３つの第１制限部１２を基礎部３０に対する接続状態が解除されないように挟持することができる。
【００７９】
詳細には表カバー部６０は、照明装置ＬＤの外観を形成する意匠部品であって、３つの照明部１０を覆う他、第１クランク部１８、第２クランク部２２、第１スライド板２０、第２スライド板２４を覆うものである。そして表カバー部６０は、前面が矩形に開口された箱状に形成され、左右側面の前後方向の幅が上部から下部となるにつれ次第に広くなっている。また表カバー部６０の上面の前端の左側部分からは、上方向に延出する上方鍔部が設けられ、表カバー部６０の左側面の前端の全部からは、左方向に延出する左方鍔部が設けられており、上方鍔部と左方鍔部とは連続するように形成されている。
【００８０】
そして表カバー部６０は、３つの照明部１０のそれぞれの照明範囲を、図中の直線矢印で示す前方に向かって円形となるように制限する３つの第２制限部６２を備えている。詳細には表カバー部６０の上面と下面と左右側面に囲われた奥側面６４には、第１制限部１２が形成する円形の開口とほぼ同一の大きさの３つの円形の開口が設けられている。この奥側面６４の３つの円形の開口は、表カバー部６０が基礎部３０に対してネジにより固定された状態で、３つの第１制限部１２のそれぞれが形成する円形の開口と一致するように設けられている。そして表カバー部６０が基礎部３０に対してネジにより固定された状態では、奥側面６４の裏側が３つの第１制限部１２の前方端と密着するように形成されている。
【００８１】
そして奥側面６４の表側には、第１制限部１２が形成する円形の開口とほぼ同一の大きさの円形の開口を形成する３つの第２制限部６２が設けられている。この３つの第２制限部６２のそれぞれは、各第２制限部６２が形成する円形の開口が各第１制限部１２が形成する円形の開口と一致するように、奥側面６４の表側に設けられている。これにより本実施形態では、図１で示したように照明装置ＬＤを遊技機に取り付けた状態で、第２制限部６２の円形の開口、および奥側面６４の円形の開口、および第１制限部１２の円形の開口を通して、遊技機の正面に向かう遊技者が３つの照明部１０を視認できるようになっている。
【００８２】
ここで本実施形態では、照明装置ＬＤが遊技機に取り付けられると、表カバー部６０の上面および下面および左右側面により形成される矩形の開口面は、遊技機の正面方向を向くが、第２制限部６２の円形の開口、および奥側面６４の円形の開口、および第１制限部１２の円形の開口により形成される円柱状の空間の開口面は、正面方向よりも左（遊技機から見て右）に傾いた方向を向くように形成されている。すなわち本実施形態では、図１で示したように照明装置ＬＤが表示窓ＤＷの右側に設けられているため、３つの照明部１０の照明範囲の中心が遊技機の正面に向かう遊技者に向かうようになっている。
【００８３】
図８は、照明装置ＬＤの組立図である。図８に示すように、基礎部３０は、第１制限部１２が取り付けられる取付部６６と、ＬＥＤが設けられたＬＥＤ基板６８と、３つの照明部１０のＬＥＤを覆う３つのレンズ７０と、ＬＥＤ基板６８の裏側を覆う裏カバー部７２とを備えている。
【００８４】
レンズ７０は、後方が開口された円柱状に形成されており、レンズ７０の前方の円形面には、ＬＥＤの光を拡散させるために凹凸が設けられている。そしてレンズ７０は、第１制限部１２が取り付けられる取付部６６の円筒部分７４の内側に、裏側から嵌め込まれるようになっている。ここでレンズ７０の側面の後端の一部には凸部７６が設けられており、円筒部分７４の内側面の側面の後端の一部には凸部７６に対応する形状の凹部（図示せず）が設けられている。
【００８５】
そしてレンズ７０が取付部６６に嵌め込まれる際には、この凸部７６が凹部（図示せず）に嵌め込まれることにより、レンズ７０が円筒部分７４の内側で円周方向に回転しないように、また、上部遮蔽板１４および下部遮蔽板１５が回転しても上部遮蔽板１４および下部遮蔽板１５とレンズ７０の前端とが接触しないように位置決めされる。また、レンズ７０の後方にはＬＥＤ基板６８が設けられ、ＬＥＤ基板６８の表側において導体パターンがプリントされていない領域がレンズ７０の後端と接触することにより、レンズ７０が後方に移動しないように位置決めされる。なお図８では、中段の照明部１０と下段の照明部１０については、レンズ７０が円筒部分７４の内側に既に嵌め込まれている状態となっている。
【００８６】
そして裏カバー部７２は、取付部６６の後方から取付部６６に対して取り付けられ、ネジにより固定される。すると、裏カバー部７２の表側に設けられた６個の突起７３の前端とＬＥＤ基板６８の裏側とが接触し、ＬＥＤ基板６８の表側とレンズ７０の後端とが接触し、レンズ７０の凸部７６と取付部６６の凹部（図示せず）とが接触することにより、裏カバー部７２と取付部６６との間で、ＬＥＤ基板６８と３つのレンズ７０とが挟まれるようにして保持（挟持）される。
【００８７】
また、表カバー部６０は、取付部６６の前方から取付部６６に対して取り付けられ、ネジにより固定される。すると、表カバー部６０の奥側面６４の裏側と３つの第１制限部１２の前方端７８とが接触することにより、表カバー部６０と取付部６６との間で、３つの第１制限部１２が挟まれるようにして保持（挟持）される。
【００８８】
そして表カバー部６０の奥側面６４の表側には、第２制限部６２が取り付けられる。詳細には第２制限部６２には、第２制限部６２の後方端７９の右部分に鉤状の鉤部材８０が後方に突出するように設けられており、この鉤部材の先端には外側に突出した鉤部分８２が形成されている。また表カバー部６０の奥側面６４に形成された円形の開口の右部分には、鉤部材８０の鉤部分８２が嵌め込まれる鉤溝８４が設けられている。そして第２制限部６２が奥側面６４に取り付けられる際には、第２制限部６２の後方端７９が奥側面６４の表側に接触した状態で、第２制限部６２の鉤部材８０の鉤部分８２が鉤溝８４に嵌め込まれる。そして第２制限部６２は、この状態で奥側面６４に対してネジにより固定される。
【００８９】
３．機能ブロック
図９は、本実施形態の遊技機の機能ブロック図である。
【００９０】
本実施形態の遊技機は、遊技制御手段（制御基板）１００によって制御される。遊技制御手段１００は、メダル投入スイッチ２１０、ベットスイッチ２２０、スタートスイッチ２３０、ストップスイッチ２４０等の入力手段からの入力信号を受けて、遊技を実行するための各種の演算を行い、演算結果に基づいてリールユニット３１０、ホッパーユニット３２０、表示装置３３０、音響装置３４０等の出力手段の動作制御を行う。遊技制御手段１００の機能は各種のプロセッサ（ＣＰＵ、ＤＳＰなど）、ＡＳＩＣ（ゲートアレイなど）、ＲＯＭ（情報記憶媒体の一例）、あるいはＲＡＭなどのハードウェアや、ＲＯＭなどに予め記憶されている所与のプログラムからなるソフトウェアにより実現される。
【００９１】
そして遊技制御手段１００は、主制御手段１１０と副制御手段１２０とを含む。
【００９２】
主制御手段１１０は、遊技者がスタートレバー（回転開始操作手段）ＳＬの押下操作により作動するスタートスイッチ２３０からのスタート信号に基づいて、役の当否を決定する内部抽選を行うとともに、第１リールＲ１〜第３リールＲ３をステップモータにより回転駆動する。
【００９３】
そして主制御手段１１０は、回転中のリールに対応するストップボタンＢ１〜Ｂ３の押下操作（停止操作）により作動するストップスイッチ２４０からの停止信号に基づいて、ステップモータにより回転駆動されている第１リールＲ１〜第３リールＲ３を抽選フラグの設定状態（内部抽選の結果）に応じて停止させる制御を行う。
【００９４】
そして主制御手段１１０は、第１リールＲ１〜第３リールＲ３の停止態様に基づいて、役が入賞したか否かを判定する処理を行い、小役が入賞した場合に、役毎に予め定められている配当に基づいて遊技におけるメダルの払出数を決定し、決定された払出数に相当するメダルを、ホッパーユニット３２０（払出装置）に払い出させる制御を行う。
【００９５】
また主制御手段１１０は、所定の移行条件の成立に基づいて、通常状態、ボーナス成立状態、およびボーナス状態の間で遊技状態を移行させる遊技状態移行制御処理や、入賞に伴い遊技者の所有する遊技媒体を要さずに次回の遊技を行わせるリプレイの抽選状態を変化させることにより、内部抽選におけるリプレイの当選確率を変動させるリプレイ確率変動処理を行う。
【００９６】
副制御手段１２０は、演出データ記憶手段１２２に記憶されている演出データに基づいてランプ、ＬＥＤ、液晶ディスプレイＬＣＤ、照明装置ＬＤ等の表示装置３３０（演出装置）を用いて行う表示演出や音響装置３４０（演出装置）を用いて行う音響演出に関する制御を行う。具体的には、メダルの投入やベットボタンＢ０、スタートレバーＳＬ、ストップボタンＢ１〜Ｂ３に対する操作、第１リールＲ１〜第３リールＲ３の停止態様、入賞判定の結果、遊技状態の変動など、各種の遊技イベントの発生に応じてランプやＬＥＤや照明装置ＬＤを点灯あるいは点滅させたり、照明装置ＬＤを動作させたり、液晶ディスプレイＬＣＤの表示内容を変化させたり、スピーカから音を出力させたりすることにより、遊技を盛り上げたり、遊技を補助するための演出制御を行う。
【００９７】
４．変形例
本発明は、上記実施形態で説明したものに限らず、種々の変形実施が可能である。なお、上記各実施形態や、変形例として後述する各種の構成は、本発明を実現する構成として適宜組み合わせて採用したり、置き換えて採用することができる。また上記各実施形態で説明した制御手法は、一例を示したに過ぎず、上記各実施形態の制御手法と同様の効果を奏する均等な手法を採用した場合においても本発明の範囲に含めることができる。
【００９８】
４−１．変形例１
例えば上記実施形態では、照明装置ＬＤが３個の照明部１０を備え、１個の照明部１０が４個の遮蔽板を備える例を挙げて説明したが、照明部１０の数や、遮蔽板の数は適宜変更することができる。また上記実施形態では、光源の照明範囲を制限する第１制限部１２が円形の開口を形成している例を挙げて説明したが、制限部が形成する開口の形状は適宜変更することができる。
【００９９】
例えば図１０（Ａ）に示すように、照明部１０が、円形の開口を形成する制限部４００と、遮蔽軸１６を中心に図中左側から見て右回りに回転して閉状態から開状態となる１個の上部遮蔽板４０２（第１遮蔽部）と、遮蔽軸１６を中心に左回りに回転して閉状態から開状態となる１個の下部遮蔽板４０４（第２遮蔽部）とを備えるようにしてもよい。また、図１０（Ｂ）に示すように、照明部１０が、楕円形の開口を形成する制限部４０６と、遮蔽軸１６を中心に右回りに回転して閉状態から開状態となる３個の上部遮蔽板４０８（第１遮蔽部）と、遮蔽軸１６を中心に左回りに回転して閉状態から開状態となる２個の下部遮蔽板４１０（第２遮蔽部）とを備えるようにしてもよい。また、図１０（Ｃ）に示すように、照明部１０が、矩形の開口を形成する制限部４１２と、遮蔽軸１６を中心に右回りに回転して閉状態から開状態となる２個の上部遮蔽板４１４（第１遮蔽部）と、遮蔽軸１６を中心に左回りに回転して閉状態から開状態となる２個の下部遮蔽板４１６（第２遮蔽部）とを備えるようにしてもよい。すなわち、制限部４１２の開口を形成する矩形の各辺と各遮蔽軸１６とが平行でないため、上部遮蔽部の形状が、下部から上部となるにつれ横幅が狭くなり、下部遮蔽部の形状が、上部から下部となるにつれ横幅が狭くなる場合に本発明を適用すると、遮蔽部が閉状態と開状態との間で回転する際に、遮蔽部が周囲の構成と干渉しないようにすることができる。
【０１００】
また、図１０（Ｄ）に示すように、照明部１０が、上下を反転させた２つの三角形を組み合わせた形状の開口を形成する制限部４１８と、遮蔽軸１６を中心に左回りに回転して閉状態から開状態となる２個の上部遮蔽板４２０（第１遮蔽部）と、遮蔽軸１６を中心に右回りに回転して閉状態から開状態となる２個の下部遮蔽板４２２（第２遮蔽部）とを備えるようにしてもよい。すなわち、上部遮蔽部の形状が、上部から下部となるにつれ横幅が狭くなり、下部遮蔽部の形状が、下部から上部となるにつれ横幅が狭くなる場合においても、本発明を適用すると遮蔽部が閉状態と開状態との間で回転する際に、遮蔽部が周囲の構成と干渉しないようにすることができる。そしていずれの場合であっても、各遮蔽部の遮蔽軸１６は、各遮蔽部の最も横幅が広い部分あるいはその付近に設ければよい。
【０１０１】
また、上部遮蔽部と下部遮蔽部のうち少なくとも１つの形状が、上部から下部となるにつれ横幅が広くなるあるいは狭くなる場合においても、本発明を適用すると遮蔽部が閉状態と開状態との間で回転する際に、遮蔽部が周囲の構成と干渉しないようにすることができる。
【０１０２】
４−２．変形例２
また上記実施形態では、遮蔽軸１６に沿った方向が横方向となるように第１遮蔽部および第２遮蔽部が設けられ、第１遮蔽部および第２遮蔽部の形状が、上下方向で横幅が変化する形状である例を挙げて説明したが、第１遮蔽部および第２遮蔽部が設けられる向き、あるいは照明部１０が設けられる向きは任意に変更することができる。例えば遮蔽軸１６に沿った方向が縦方向（上下方向）となるように第１遮蔽部および第２遮蔽部が設けられる場合には、第１遮蔽部および第２遮蔽部の形状は、左右方向で縦幅が変化する形状とすることができる。
【０１０３】
４−３．変形例３
また上記実施形態では、複数の上部遮蔽板１４が第１スライド板２０に連結され、複数の下部遮蔽板１５が第２スライド板２４に連結されている例を挙げて説明したが、１つの直進ソレノイド３２で１個の上部遮蔽板１４と１個の下部遮蔽板１５とを回転させる場合には、第１クランク部１８が直進ソレノイド３２の直進運動を上部遮蔽板１４の回転運動に変換し、第２クランク部２２が直進ソレノイド３２の直進運動を上部遮蔽板１５の回転運動に変換するように構成すれば、第１スライド板２０、第２スライド板２４、第１アーム２６、第２アーム３４を省略することができる。
【０１０４】
４−４．変形例４
また上記実施形態では、駆動源として直進運動を行う直進ソレノイドを用いる例を挙げて説明したが、駆動源として回転運動を行うモーターを用いるようにしてもよい。この場合には、第１スライド板２０および第２スライド板２４にラック（平歯車）を形成し、第１スライド板２０のラックをモーターの回転軸に設けられたピニオン（円形歯車）に連結し、第２スライド板２４のラックを中間ギア（円形歯車）を介してモーターの回転軸に設けられたピニオン（円形歯車）に連結することにより、モーターの正方向への回転運動を第１スライド板２０の第２方向への直進運動および第２スライド板２４の第１方向への直進運動に変換し、モーターの逆方向への回転運動を第１スライド板２０の第１方向への直進運動および第２スライド板２４の第２方向への直進運動に変換することができる。
【０１０５】
４−５．変形例５
また上記実施形態では、複数の遮蔽部が、ＬＥＤを遮蔽する閉状態とＬＥＤを遮蔽しない開状態との間で動作する照明装置に本発明を適用した例を挙げて説明したが、ＬＥＤに代えて遮蔽部の後方に液晶ディスプレイやキャラクタの造形物やホログラムなどの表示物の表示領域を設け、遮蔽部が表示物の表示領域を遮蔽する閉状態と表示物の表示領域（演出領域）を遮蔽しない開状態との間で動作する演出装置に本発明を適用してもよい。すなわち、遊技機用の演出装置であって、遮蔽部が、所定の表示領域を遮蔽する閉状態と所定の表示領域を遮蔽しない開状態との間で動作する演出装置に本発明を適用してもよい。
【０１０６】
また上記実施形態では、光源を備え、基礎部３０と第１制限部１２が接続された状態で形成される軸受け部５２に光源を遮蔽する遮蔽部が回転可能に軸支される例を挙げて説明したが、光源を遮蔽する遮蔽部に限らず、回転することにより演出を行う回転部（演出物）が軸受け部５２に軸支されるようにしてもよい。すなわち、遊技機用の演出装置であって、基礎部と、基礎部に対して回転する回転部と、基礎部に接続される接続部と、基礎部に固定される固定部とを備え、基礎部と接続部が接続された状態で形成される軸受け部に回転部が回転可能に軸支され、基礎部と固定部が固定された状態で基礎部と固定部に接続部が挟持される演出装置に本発明を適用してもよい。
【０１０７】
また上記実施形態では、本発明に係る照明装置（演出装置）が回胴式遊技機に取り付けられている例を挙げて説明したが、本発明に係る照明装置（演出装置）は、ぱちんこ遊技機に取り付けられるようにしてもよい。
【符号の説明】
【０１０８】
ＢＸ  収納箱、ＵＤ  前面上扉、ＤＤ  前面下扉、ＤＷ  表示窓、Ｌ１〜Ｌ４  有効ライン、ＤＳ  遊技情報表示部、ＬＣＤ  液晶ディスプレイ、ＬＤ  照明装置、
Ｒ１  第１リール、Ｒ２  第２リール、Ｒ３  第３リール、
Ｂ０  ベットボタン、ＳＬ  スタートレバー、Ｂ１〜Ｂ３  ストップボタン、
ＭＩ  メダル投入口、ＭＯ  メダル払い出し口、ＭＰ  メダル受け皿、
１０  照明部、１２  第１制限部、１４  上部遮蔽板、１５  下部遮蔽板、１６  遮蔽軸、
１８  第１クランク部、２０  第１スライド板、２２  第２クランク部、
２４  第２スライド板、２６  第１アーム、２８  第１アーム軸、３０  基礎部、
３２  直進ソレノイド、３４  第２アーム、３６  第２アーム軸、３８  ガイド穴、
４０  固定ピン、４２  作用穴、４４  移動ピン、４６  第１突起、４８  第２突起、
５０  凹部、５２  軸受け部、５４  鉤部材、５６  鉤部分、６０  表カバー部、
６２  第２制限部、６４  奥側面、６６  取付部、６８  ＬＥＤ基板、７０  レンズ、
７２  裏カバー部、７４  円筒部分、１００  遊技制御手段、１１０  主制御手段、
１２０  副制御手段、１２２  演出データ記憶手段、
２１０  メダル投入スイッチ、２２０  ベットスイッチ、２３０  スタートスイッチ、
２４０  ストップスイッチ、３１０  リールユニット、
３１５  リールインデックス、３２０  ホッパーユニット、
３２５  払出メダル検出スイッチ、３３０  表示装置、３４０  音響装置
【図１】
0005618055.tif 000002
【図２】
0005618055.tif 000003
【図３】
0005618055.tif 000004
【図４】
0005618055.tif 000005
【図５】
0005618055.tif 000006
【図６】
0005618055.tif 000007
【図７】
0005618055.tif 000008
【図８】
0005618055.tif 000009
【図９】
0005618055.tif 000010
【図１０】
0005618055.tif 000011